(57)【特許請求の範囲】
【請求項１】
内面ドラムプレートセッター又は外面ドラムプレートセッターのドラム表面上に設置された印刷プレート上に画像を転写するための光学式画像化ヘッドであって、
実質的に均一な放射の線を作るためのライン照明モジュール、ここで該ライン照明モジュールは、レーザーダイオードのバー、高速軸方向において放射を一様に分散させるための高速軸平行化レンズ、及び低速軸方向において放射を一様に分散させるための低速軸平行化レンズを備え、
窒化ケイ素で生成され、反射性のアルミニウム表層で被覆されたアドレス可能な平行なリボンを備えた格子光弁、ここで該格子光弁は、対物面を形成し、ライン照明モジュールから放射の線を受けそしてリボンの選択的な引き下げによって変調された放射の回折次数を作るものである、
変調された放射を受けそして画像焦点と無関係に画像倍率を調整するための第１のレンズ群、
第１のレンズ群から倍率の調整された変調放射を受け印刷プレートに通過させるための第２のレンズ群であって、画像倍率と無関係に画像焦点を調節する前記第２のレンズ群、及び
第１及び第２のレンズ群の間に置かれ、（ｉ）０次回折の倍率調整済みの変調放射を内面ドラムプレートセッター又は外面ドラムプレートセッターのドラム表面上に設置された印刷プレートに通過させ、そして（ii）非０次回折の倍率調整済み変調放射が内面ドラムプレートセッター又は外面ドラムプレートセッターのドラム表面上に設置された印刷プレートに入射するのを阻止するための単一の開口を有する絞り具
を備えた光学式画像化ヘッド。
【請求項２】
内面ドラムプレートセッター又は外面ドラムプレートセッター上の印刷プレートに画像を転写する方法であって、
レーザーダイオードのバー、軸方向において放射を一様に分散させるための高速軸平行化レンズを備えたライン照明モジュールで、実質的に均一な放射の線を作り、
窒化ケイ素で生成され、反射性のアルミニウム表層で被覆されたアドレス可能な平行なリボンを備えた格子光弁、ここで該格子光弁は、対物面を形成し、ライン照明モジュールから放射の線を受けそしてリボンの選択的な引き下げによって変調された放射の回折次数を作るものである、を用いて、均一な放射の線から回折光を作り、
印刷プレートに０次の前記回折光を通過させると同時に非０次の前記回折光が印刷プレートに入射するのを阻止し、
０次の前記回折光に応答して画像焦点とは無関係に印刷プレートにおける画像倍率を調整し、更に
０次の倍率調整された回折光に応答して画像倍率とは無関係に印刷プレートにおける画像焦点を調節する
ことを含んだ方法。
【請求項３】
印刷機の版胴上に直接画像を転写するために印刷機で使用するための光学式画像ヘッドであって、
実質的に均一な放射の線を作るためのライン照明モジュール、ここで該ライン照明モジュールは、レーザーダイオードのバー、高速軸方向において放射を一様に分散させるための高速軸平行化レンズ、及び低速軸方向において放射を一様に分散させるための低速軸平行化レンズを備え、
窒化ケイ素で生成され、反射性のアルミニウム表層で被覆されたアドレス可能な平行なリボンを備えた格子光弁、ここで該格子光弁は、対物面を形成し、ライン照明モジュールから放射の線を受けそしてリボンの選択的な引き下げによって変調された放射の回折次数を作るものである、
変調された放射を受けそして画像焦点と無関係に画像倍率を調整するための第１のレンズ群、
第１のレンズ群から倍率の調整された変調放射を受けテレセントリックな方法で媒体に通過させるための第２のレンズ群であって、画像倍率と無関係に画像焦点を調節する前記第２のレンズ群、及び
第１及び第２のレンズ群の間に置かれ、（ｉ）０次回折の倍率調整済みの変調放射を印刷機の版胴に通過させ、そして（ii）非０次回折の倍率調整済み変調放射が印刷機の版胴に入射するのを阻止するための単一の開口を有する絞り具
を備えた光学式画像化ヘッド。
【請求項４】
印刷機の版胴上に直接画像を転写する方法であって、
レーザーダイオードのバー、高速軸方向において放射を一様に分散させるための高速軸平行化レンズ、及び低速軸方向において放射を一様に分散させるための低速軸平行化レンズを備えたライン照明モジュールで、実質的に均一な放射の線を作り、
窒化ケイ素で生成され、反射性のアルミニウム表層で被覆されたアドレス可能な平行なリボンを備えた格子光弁、ここで該格子光弁は、対物面を形成し、ライン照明モジュールから放射の線を受けそしてリボンの選択的な引き下げによって変調された放射の回折次数を作るものである、を用いて、均一な放射の線から回折光を作り、
版胴に０次の前記回折光を通過させると同時に非０次の前記回折光が版胴へ入射するのを阻止し、
０次の前記回折光に応答して画像焦点とは無関係に版胴における画像倍率を調整し、更に
０次の倍率調整された回折光に応答して画像倍率とは無関係に版胴における画像焦点を調節する
ことを含んだ方法。
【発明の詳細な説明】
【０００１】
【産業上の利用分野】
本発明は、一般に画像を記録用媒体上に転写するために使用される改良された光学式画像化ヘッドに関し、特に外面ドラム式イメージセッターにおける０次の回折放射により作動する二重テレセントリック性の高出力光学式画像化ヘッドに関する。
【０００２】
【従来技術及びその課題】
印刷産業においていかなる画像も印刷される場合は、全工程の典型的な第１段階はプリプレス作業、即ち対象画像を表すデジタル情報を感光性又は感熱性の媒体、例えば、次に印刷機において画像を適宜数に転写するために使用される印刷版上に変換することである。プリプレス技術ガ進化したため画像を作るに要する時間は減少し、同時に画像の質が改良された。更に、フィルム、版、校正刷り、及び最終製品に使用される媒体も進化した。この進化は、多種の記録用媒体上に画像化し得る高速、高品質な画像化システムに対する要求を進め続ける。
【０００３】
画像化時間を短縮させる一方法は一度に媒体上に書くビーム数を多くすることである。本技術においては、１個のソースから多数の描写用ビームを作る幾つかの方法がある。これらの従来方法は、多チャンネル音響光学変調器（ＡＯＭ）、種々のビーム分割技術とデジタルマイクロミラー装置（ＤＭＤ、テキサスインスツルメンツの商標名）のような多様素変調器、及びＰＬＺＴとして知られる透過性強誘電性セラミック変調器として構成し得るランタンモディファイドレッドジルコネートチタン（ｌａｎｔｈａｎｕｍ  ｍｏｄｉｆｉｅｄ  ｌｅａｄ  ｚｉｒｃｏｎａｔｅ  ｔｉｔａｎａｔｅ）の使用を含む。
【０００４】
新しい形式の多様素変調器、格子光弁又はＧＬＶが、ディスプレイの分野における使用のために、近年、カルフォルニア、サニーバレーのシリコンライトマシンズ社により開発された。このＧＬＶは、シリコンチップの表面における動いている部分により形成されたアドレス可能な回折格子である。各ＧＬＶ画素は、窒化シリコンより形成され反射性アルミニウムの表層で被覆された二重支持の平行リボンから構成される。本質的ではないが本発明の出願の理解に有用な格子光弁についての補足的な背景情報を提供するために幾つかの出版物がその全文を参考文献としてここに組み込まれる。これらは、デー・テー・アム他の「グレーティングライトバルブ（商標名）テクノロジー：アップデートアンドノベルアプリケーションズ（Ｇｒａｔｉｎｇ  Ｌｉｇｈｔ  ＶａｌｖｅTM  Ｔｅｃｈｎｏｌｏｇｙ：Ｕｐｄａｔｅ  ａｎｄ  Ｎｏｖｅｌ  Ａｐｐｌｉｃａｔｉｏｎｓ）」、１９９８年５月１９日、アナハイム、カルフォルニア；アール・ダブリュー・コリガン他の「グレーティングライトバルブ（商標名）テクノロジーフォアプロジェクションディスプレイ（Ｇｒａｔｉｎｇ  Ｌｉｇｈｔ  ＶａｌｖｅTM  Ｔｅｃｈｎｏｌｏｇｙ  ｆｏｒ  Ｐｒｏｊｅｃｔｉｏｎ  Ｄｉｓｐｌａｙ）」、インターナショナルディスプレイワークショップ、神戸、日本、１９９８年１２月９日、報告書番号ＬＡＤ５−１；デー・テー・アム他の「オプティカルパーフォーマンスオブザグレーティングライトバルブテクノロジー（Ｏｐｔｉｃａｌ  Ｐｅｒｆｏｍａｎｃｅ  ｏｆ  ｔｈｅ  Ｇｒａｔｉｎｇ  Ｌｉｇｈｔ  Ｖａｌｖｅ  Ｔｅｃｈｎｏｌｏｇｙ）」、フォトニクスウエストエレクトロニックイメージング、１９９９年１月２７日、サンノゼ、カルフォルニア；及びアール・ダブリュー・コリガン他の「キャリブレーションオブアスキャンドリニヤーグレーティングライトバルブ（商標名）プロジェクションシステム（Ｃａｌｉｂｒａｔｉｏｎ  ｏｆａ  Ｓｃａｎｎｅｄ  Ｌｉｎｅａｒ  Ｇｒａｔｉｎｇ  Ｌｉｇｈｔ  ＶａｌｖｅTM  Ｐｒｏｊｅｃｔｉｏｎ  Ｓｙｓｔｅｍ）」、ソサイエティフォアインフォメーションシンポジウム、１９９９年５月１８日、サンノゼ、カルフォルニアである。
【０００５】
【課題を解決するための手段】
媒体への画像の転写に使用する効果的な高出力光学式画像化ヘッドを提供することが本発明の目的である。
【０００６】
媒体に画像を転写する方法は、実質的に均一な放射の線を作り、均一な放射の線から回折光を作り、テレセントリックな方法で媒体に０次の前記回折光を通過させると同時に非０次の前記回折光を阻止し、０次の前記回折光に応答して画像焦点とは無関係に媒体における画像倍率を調整し、更に０次の倍率調整された回折光に応答して画像倍率とは無関係に媒体における画像焦点を調節することを含む。媒体上に画像を画像化するための光学式画像化ヘッドは、実質的に均一な放射の線を作るためのライン照明モジュール、対物面を形成し、ライン照明モジュールから放射の線を受けそして変調された放射の回折次数を作る格子光弁、変調された放射を受けそして画像焦点と無関係に画像倍率を調整するための第１のレンズ群、第１のレンズ群から倍率の調整された変調放射を受けテレセントリックな方法で媒体に通過させるための第２のレンズ群であって、画像倍率と無関係に画像焦点を調節する前記第２のレンズ群、及び第１及び第２のレンズ群の間に置かれ、０次回折の倍率調整済みの変調放射を通過させ、そして非０次回折の倍率調整済み変調放射を阻止するための開口を有する絞り具を備える。
【０００７】
【好ましい実施例の詳細な説明】
本発明の以上の態様及びその他の特徴が付属図面（縮尺にはよらない）に関連して詳細に説明される。図面において、対応している要素を示すために全図を通して同じ番号が使用される。
【０００８】
図１Ａ、１Ｂ及び１Ｃは、二つの基本的な部品、照明システム１００及び画像化システム１３０に分離し得る光学式画像化ヘッド１５０の好ましい構造及び作動を側面図及び平面図で示す。照明システム１００は連続波エネルギーの線を作り放射する。０次回折画像化システム１３０が、ＧＬＶ１１０の対物面１２０においてこの連続エネルギー波又は放射を受け、次いで種々の構成要素を介して０次回折放射により画像を画像化媒体に転写する。
【０００９】
照明システム１００はライン照明モジュール１００の形式を取り、このモジュールは、複数のレーザービームを作るためのレーザーダイオードのバー１０２、高速軸方向において放射を一様に分散させるための高速軸方向平行化レンズ１０４、及び低速軸方向において放射を一様に分散させるための低速軸方向平行化レンズ１０８を備える。レーザーバー１０２は、高速軸方向平行レンズ１０４にレーザービームを放射するレーザーダイオードのグループである。低速軸方向は、媒体２００の幅Ｗ（図２参照）に沿った線の方向と平行な画像化ドラムの長手方向軸線に沿った光学ヘッドの運動に相当し、一方、高速軸方向は、ドラムの半径方向に沿った、例えば媒体２００の切片（Ｎ）に沿ったレーザービームの旋回に相当する。
【００１０】
使用される光源の形式は、特定の媒体に依存する。好ましい実施例においては、媒体２００は感熱性であり、従って媒体における画像化のためには適切なレーザー光源が使用される。しかし、種々の用途に対して必要なようにその他の電磁エネルギー源を使うことができる。
【００１１】
図２に示された媒体２００は、外面ドラム（図示せず）上に支持されるように位置決めされる。画像面において媒体２００と一致する照明１１８の線（放射の線とも呼ぶ）は、長さＬ及び幅Ｚを持つ。照明１１８の各線は、それぞれがＧＬＶ１１０の画素の数に相当する予定数の部分２０２を含む。照明１１８の線は、媒体２００のシート上の第１の切片（Ｎ）に沿った最初の位置で画像化される。ドラムが回転すると、照明１１８の線に沿った画素は、本技術において公知の制御用電子装置から供給された画像情報によりオン又はオフにされる。画素の変調は、ドラムの回転速度と同期される。この手順が、切片（Ｎ）における画像化の完了まで続けられる。回転ドラムの長手方向軸線（即ち、低速軸）に沿った画像化ヘッドの運動により、切片（Ｎ）から（Ｎ＋１）までの照明１１８の線の運動が容易に行われる。次いで、上述の画像化手順が切片（Ｎ＋１）及び画像が媒体２００上に完全に転写されるまでの全ての追加の切片について繰り返される。画像化手順は、本技術において公知のような媒体の螺旋状走査のような別の手段によっても達成することができる。
【００１２】
ＧＬＶはアレー内の可動リボンの使用による回折光により作動する。本発明について、ＧＬＶからのエネルギーは、ＧＬＶ画素が活性化されないときに画像面に達する。画素が完全に活性化されたとき、即ちリボンが交互にほぼ１／４波長だけ偏向されたとき、光は反らされ画像面に達することが阻止される。画素は部分的に活性化され、画像面に達する光の量を制御する。
【００１３】
ＧＬＶの一例は１０８８個の個々にアドレス可能な画素からなる。好ましい実施例においては、１次元のＧＬＶアレイが使用される。ただし、照明の線ではなくて照明の面を作ることが望まれる場合は２次元ＧＬＶを使うことができる。
【００１４】
ＧＬＶ画素のグループ化を変えることにより、種々の画像化解像度を使うことができる。また、ＧＬＶの画素を、画像の情報に全部使う必要はない。例えば、２５．４ｍｍ（１インチ）当りの画像画素（即ち書込み画素）２４００個の解像度を作るための７２０個のＧＬＶ画素が画像面に１対１で画像化された場合は、画像面の画素当り２個のＧＬＶ画素のグループ化のより２５．４ｍｍ（１インチ）当り１２００ドットの解像度で３６０個のドット記入を生ずる。
【００１５】
希望の解像度を得るようにＧＬＶ画素数を選ぶためにスポット寸法（即ちドット又は書込み画像画素）を別のものに変えるには追加の運動部品は不要である。更に、ＧＬＶの一定の照明のため、画像面のエネルギーは、単位面積当りエネルギーの項目で一定のままであり、このため解像度の変更に伴うエネルギーの変化に曝されることは要求されない。これが、アドレス可能性を変えるために光学的な縮小を使っているシステムに対する利益を提供する。光学的縮小によりスポット寸法の変化に比例して必然的にスポットの画像化の際の電力を低下させ、多くの電力を不要とさせ、かつ同じ比率でシステムの速度を落とす。好ましいシステムにおいては、電力が比例してより多くの画素の上に広げられるため、スループットは一定のままである。適切な縮小の選択により、ＧＬＶにおいてリボンのその他の組合せを選定することができる。いずれの場合も、各画素の活性の時間は、選ばれた解像度により直接変えられ、一方、走査速度は一定のままである。
【００１６】
画像化システム１３０は、格子光弁１１０、第１の拡大レンズ群１１２、開口１３２を有する絞り具１１４、及び第２の焦点用レンズ群１１６を備える。ここで使用される格子光弁は、各画素２０２が、ＧＬＶ変調器１１０に組み込まれた制御用電子回路からの信号に従って分離的かつ個別的に制御される。換言すれば、個々の画像画素２０２は個別的に回折させることができる。更に、各ＧＬＶ画素の強度は、リボンに印加される電圧を変え、その撓を制御し、最終的には画像面に達するエネルギーの量を変えることにより電子的に制御することができる。ＧＬＶ対物面１２０におけるＧＬＶ画素の強度を変えることにより、画像面における照明の線の不均一を修正できる。
【００１７】
格子光弁１１０の面１２０は、回折格子、即ち、光がこれを通して投射されたとき、開口を通過する際の光波の回折により白色光をスペクトル色に分解する狭くて平行なスリット又は開口のアレイを備える。回折格子は、隣接したスリット又は開口からの光波の増強によりこのスペクトル効果を作る。図３は、光面１０２から受けた白色光についての回折格子面１２０の効果を示す。
【００１８】
図３を参照すれば、図１Ａの画像化ヘッド１５０の選定された構成要素が、格子光弁１１０の表面１２０からの光の回折を図示するように描かれる。０次の回折光は実線で表され、一方、正及び負の１次の回折光は破線で表される。より高次の回折は単純化のため省略される。
【００１９】
ＧＬＶ１１０の対物面１２０から反射された０次の回折光は、第１のレンズ群１１２を通過し、開口１３２を通過するように指向される。第１のレンズ群１１２は、少なくも１個の固定レンズ及び画像焦点とは無関係に画像倍率を調整するための少なくも１個の調整可能なレンズを備える。開口１３２は、絞り具１１４の中央に置かれた（好ましくは図１Ｄに示されるように楕円形の）１個の開口である。絞り具１１４は、０次以外の回折光を阻止し、同時に０次の回折光の開口１３２の通過を許す。
【００２０】
第１のレンズ群１１２から受けられた０次の放射の主光線は開口１３２の中央に焦点を結び、そして第２のレンズ群１１６を通過する（図１Ｃ参照）。第２のレンズ群１１６は、画像倍率とは無関係に画像焦点を調整するために１個又は複数個のレンズを備える。第２のレンズ群１１６は少なくも１個の調整可能なレンズを持たねばならず、かつ０個、１個又はより多数の固定レンズを含むことができる。光は、第２のレンズ群１１６から、画像化媒体２００上の一つの放射の線１１８（図２参照）に沿って焦点を結ぶ。
【００２１】
本発明の０次の回折光の使用は、より高次の回折光の使用と比較したとき、幾つかの利点がある。焦点深度が減らされる。また、０次の回折光の通過にただ１個の開口が使われるだけであるため、光学的な設計が単純化される。対照的に、高次の回折光の通過には多数の開口及び追加の光学素子が必要である。１次又はより高次の回折光を集めるには追加のレンズ群が必要である。更に、０次回折光の使用は、画質を連続的に改良しつつ解像度を大きくさせる。０次回折光による画像化についてはグレースケールの大きな調整は不要である。
【００２２】
１次回折システムと比べたときの０次回折システムが有する一つの欠点は、より低いコントラスト比とダイナミックレンジとである。しかし、好ましいデジタル画像化の実施例に使用される熱式の媒体はこれらのパラメーターには不感である。
【００２３】
図１Ａに示されたような画像化システム１３０の光学的なレイアウトは、照明システム１００から受ける放射の種々の回折の次数を分離するであろう。特に、（図１Ｄに示される）楕円開口１３２の大きさは以下のように計算される。
【００２４】
Ｄf＝（−Θf＊ｆ1）                            （１）
Ｄs＝（−Θs＊ｆ1）                            （２）
ここに、
ｆ1は第１の（倍率制御）レンズ群１１２の焦点距離、
Θfは高速軸方向におけるＧＬＶからの放射の線の拡大角度（図１Ａ参照）、
Θsは低速軸方向におけるＧＬＶからの放射の線の拡大角度（図１Ｃ参照）、
Ｄfは高速軸方向における楕円の直径、そして
Ｄsは低速軸方向における楕円の直径である。
与えられた光学系において、開口は、第１のレンズ群１２２の主平面から第１のレンズ群１１２の焦点距離ｆ1に相当する距離だけ離されるように位置決めされる。異なった次数を分離するためには、第１のレンズ群１１２と変調器１１０の対物面１２０との間の距離を維持することが重要である。
【００２５】
本発明の一実施例は、二重テレセントリック画像化システムを備える。テレセントリック性は、光線が入射面に対して直角であるときに生ずる。従来技術の画像化システムは、時には、画像化平面において光線の特異なテレセントリック性を示すことがある。二重テレセントリック性を有する画像化システムを持つことの便益は、回折の次数を分離しかつ焦点の調整と倍率の調整とを分離することである。
【００２６】
光学ヘッド１５０の画像化システム１３０が、二重テレセントリック配列で示される。この画像化システムは、２組のレンズ群、第１のレンズ群１１２と第２のレンズ群１１６とを備える。レンズ群１１２はｆ1に等しい有効焦点距離を有し、レンズ群１１６はｆ2に等しい有効焦点距離を持つ。二重テレセントリック性は、レンズ群１１２及び１１６の主面間の直角方向距離がｆ1＋ｆ2に等しくかつ開口１３２が共通焦点面に置かれたとき、即ち開口が第１のレンズ群１２２から距離ｆ1に、そして第２のレンズ群１１６から距離ｆ2に置かれたときに達成される。二重テレセントリック配列により、システムの倍率はＧＬＶ１１０又は画像化媒体２００の運動に対して不感となる。
【００２７】
与えられた光学系の別の利点は、倍率又は焦点を相互に無関係に調整し得ることである。対物面１２０から距離ｆ1に置かれたレンズ群１１２、画像面２００から距離ｆ2に置かれたレンズ群１１６、及び第１のレンズ群と第２のレンズ群との間の距離を距離ｆ1＋ｆ2にすることにより、比（ｆ2／ｆ1）が画像化システム１３０の倍率を設定する。倍率は第１のレンズ群１１２の１個又は複数個の素子を動かすことにより調整される。システムの焦点は、第２のレンズ群１１６の１個又は複数個の素子を動かすことにより調整される。
【００２８】
ダイオードバー１０２の各放射がＧＬＶ１１０の対物面１２０全体を照明する。これにより、対物面１２０を横切るエネルギー分布が各ダイオードからの分担により平滑化される。照明システム１００の長い適合した焦点距離は、ＧＬＶ１１０から反射されたエネルギーの拡散を減らし、一方、これが画像化システム１３０の焦点深度を改良する効果を持つ。
【００２９】
図１Ａに示されたシステムは、０次の回折光を阻止しつつ１次の回折光を使って書くように変えることができる。同様に、システムを、偶数次又は奇数次のいずれかの回折光で作動するように設計することができる。また、変数は、画像面における画素に対するＧＬＶの画素の比である。好ましい実施例においては、画像面上の各画素が、２個のＧＬＶ画素に相当する。
【００３０】
光学式画像化ヘッド１５０は、画像がドラムの外面により支持された媒体上に転写されるように外面ドラム式のイメージセッター又はプレートセッターで使用されることが好ましい。光学式画像化ヘッド１５０は、印刷機の版胴上に照明１１８の線を直接照射するようにダイレクトツープレス（ｄｉｒｅｃｔ  ｔｏ  ｐｒｅｓｓ）画像化にも使用できる。この場合、ヘッドは印刷機の各ステーションにおいて繰り返されるであろう。更に、ヘッドは、上述の用途において最も適切に使用されるが、内面ドラム式又はキャプスタン式のイメージセッター又はプレートセッターにおいて使用することができる。
【００３１】
ＧＬＶ１１０を作るために多数の画素が使われるという事実のため、不利益を伴うことなく画素の幾分かを書込み用ビームとして使う以外に有利に使うことができる。これら別の用途には、（１）画像の位置と記録用媒体の位置とを同期させるように版の縁を検出するため、或いは（２）画像化システムの焦点を感知するため又は調節するためのビームを発生させることが含まれる。
【００３２】
個々のＧＬＶ画素を異なったレベルの回折効率に作動させ得るという事実を非常に有利に使うことができる。第１の可能な用途はＧＬＶを横切るエネルギー分布を均一にすることである。呼びエネルギーレベルが最大以下に設定されたならば、個々の画素は、これを全ての画素が等しくなるように上げ又は下げるように調整することができる。第２の用途は、複数の画素の帯域間の境界における画素の配置誤差の影響を感じなくさせることである。複数画素の切片間の境界に置かれた画素は、有効位置を平均するように強度が下げられ重ねられる。
【００３３】
光学式画像化ヘッドにおいて上述のＧＬＶを使用する別の利点がある。例えば、ＧＬＶの製造は、ＧＬＶの組立に半導体工業で使われる標準の組立方法を使用するため、他の光変調器の製造と比較して費用効果的である。また、ＧＬＶの画素は、厳しい半導体標準に正確に位置決めされる。ＧＬＶは、高出力レベルの放射を変調できる。更に、反射性ＧＬＶは、インライン多重ビームシステムと比較して、より小型なシステムとなる。伝送変調器をＧＬＶの置換に使用することができるが、トレードオフの一方は物理的に大きいシステムである。ＧＬＶは、大きさと使用材料のため、衝撃及び振動による損傷に対して本質的に鈍感である。またＧＬＶは密閉されかつ使用の際にごく僅かしか応力が加わらず、大きな信頼性が生ずる。ＧＬＶ画素は異なったレベルに落とすことができるので、ＧＬＶを異なった波長の光源で使うことができる。ＧＬＶは、複モードレーザーと単モードレーザーとの双方で使うこともできる。更に、単ビームの画像描写法と比較して、ＧＬＶによる作られる画素の隣接性が同等の画像を書くに要する電力を減らす。
【００３４】
以上説明された実施例は、単なる本発明の例証であり、請求された本発明の原理から考えられた限定数の可能な特別の実施例を与えるものである。
【００３５】
本発明の実施態様は以下の通りである。
【００３６】
１．媒体上に画像を画像化するための光学式画像化ヘッドであって、
実質的に均一な放射の線を作るためのライン照明モジュール、
対物面を形成し、ライン照明モジュールから放射の線を受けそして変調された放射の回折次数（ｄｉｆｆｒａｃｔｉｖｅ  ｏｒｄｅｒｓ）を作る格子光弁、
変調された放射を受けそして画像焦点と無関係に画像倍率を調整するための第１のレンズ群、
第１のレンズ群から倍率の調整された変調放射を受けテレセントリック（ｔｅｌｅｃｅｎｔｒｉｃ）な方法で媒体に通過させるための第２のレンズ群であって、画像倍率と無関係に画像焦点を調節する前記第２のレンズ群、及び
第１及び第２のレンズ群の間に置かれ、０次回折の倍率調整済みの変調放射を通過させ、そして非０次回折の倍率調整済み変調放射を阻止するための単一の開口を有する絞り具
を備えた画像化ヘッド。
【００３７】
２．開口が楕円形である実施態様１の画像化ヘッド。
【００３８】
３．第１のレンズ群の焦点距離がｆ1であり、第１のレンズ群の主面と絞り具との間の距離がｆ1であり、第２のレンズ群の焦点距離がｆ2であり、絞り具と第２のレンズ群の主面との間の距離がｆ2であり、そしてレンズ群の主面間の直角方向距離がｆ1＋ｆ2に等しい実施態様１の画像化ヘッド。
【００３９】
４．格子光弁が画像に従った放射の線の個々の部分を分離的に回折するために制御電子回路を有する実施態様１の画像化ヘッド。
【００４０】
５．制御電子回路が、画像における不均一を修正するように対物面における格子光弁画素の強度を変える実施態様４の画像化ヘッド。
【００４１】
６．第１のレンズ群が、１個又は複数個の固定レンズ及び焦点と無関係に画像倍率を調整するための１個又は複数個の調節可能なレンズを備える実施態様１の画像化ヘッド。
【００４２】
７．第２のレンズ群が、倍率と無関係に画像焦点を調整するための少なくも１個の調節可能なレンズを備える実施態様１の画像化ヘッド。
【００４３】
８．媒体がドラムの外面、ドラムの内面、又は平面上に支持される実施態様１の画像化ヘッド。
【００４４】
９．媒体に画像を転写する（ｔｒａｎｓｆｅｒ）方法であって、
実質的に均一な放射の線を作り、
均一な放射の線から回折光を作り、
テレセントリックな方法で媒体に０次の前記回折光を通過させると同時に非０次の前記回折光を阻止し、
０次の前記回折光に応答して画像焦点とは無関係に媒体における画像倍率を調整し、更に
０次の倍率調整された回折光に応答して画像倍率とは無関係に媒体における画像焦点を調節する
ことを含んだ方法。
【００４５】
１０．一様な放射の線が、前記回折光を作るために使用される回折格子面においてテレセントリックである実施態様９の方法。
【００４６】
１１．画像の不均一を修正するために回折格子面における画素の強さを変えることを更に含んだ実施態様１０の方法。
【００４７】
１２．第１のレンズ群の焦点距離がｆ1であり、第１のレンズ群の主面と絞り具との間の距離がｆ1であり、第２のレンズ群の焦点距離がｆ2であり、絞り具と第２のレンズ群の主面との間の距離がｆ2であり、そしてレンズ群の主面間の直角方向距離がｆ1＋ｆ2に等しい実施態様９の方法。
【００４８】
１３．媒体がドラムの外面、ドラムの内面、又は平面上に支持される実施態様９の方法。
【００４９】
１４．媒体が感熱性又は感光性である実施態様９の方法。
【図面の簡単な説明】
【図１】本発明の原理により作られた画像化ヘッドの好ましい実施例の側面から見た光学的な線図Ａであり、照明システム及び図１Ａの画像化ヘッドの格子光弁の上方から見た光学的線図Ｂであり、図１Ａの画像化ヘッドの画像化システムの上方から見た光学的な線図Ｃであり、図１Ａの画像化ヘッドで使用する楕円形の好ましい開口の線図Ｄである。
【図２】外部ドラムにおいて画像化のために位置決めされかつ図１Ａの画像化ヘッドにより記録される画像媒体の斜視図である。
【図３】図１Ａの画像化ヘッドの選ばれた構成部品間を移動する０次及び１次の回折光線を示す線図である。
【符号の説明】
１００  照明システム
１０２  バー
１０４  レンズ
１１０  ＧＬＶ
１１８  照明
１２０  対物面
１５０  光学式画像化ヘッド
２００  媒体
【図１】
0004079301.tif 000002
【図２】
0004079301.tif 000003
【図３】
0004079301.tif 000004